(57)【要約】【課題】ガラスロッドとライトガイドファイババンドルとの接続部での光伝達のロスが少なくて良好な照明光量を確保することができる内視鏡の照明光入射部を提供すること。【解決手段】光源３１から放射された光線束をライトガイドファイババンドル１５に伝達するためのガラスロッド１６に金属製のガラスロッド被覆管１７が被嵌固着され、ライトガイドファイババンドル１５の入射端口金１５ｃが差し込み接続されるライトガイド接続筒１８がガラスロッド被覆管１７の一端側に取着固定された内視鏡の照明光入射部において、ライトガイド接続筒１８をガラスロッド被覆管１７と一体に一部材で形成した。【選択図】      図１
2006034303.tif 000002
【特許請求の範囲】
【請求項１】
光源から放射された光線束をライトガイドファイババンドルに伝達するためのガラスロッドに金属製のガラスロッド被覆管が被嵌固着され、上記ライトガイドファイババンドルの入射端口金が差し込み接続されるライトガイド接続筒が上記ガラスロッド被覆管の一端側に取着固定された内視鏡の照明光入射部において、
上記ライトガイド接続筒を上記ガラスロッド被覆管と一体に一部材で形成したことを特徴とする内視鏡の照明光入射部。
【請求項２】
上記ガラスロッド被覆管が一定の径の円筒状に形成されると共に、上記ライトガイド接続筒が上記ガラスロッド被覆管より外径の大きな円筒状に形成されて、上記ガラスロッド被覆管と上記ライトガイド接続筒とが一つの金属部材によって一体に形成されている請求項１記載の内視鏡の照明光入射部。
【請求項３】
上記ライトガイド接続筒には、上記ライトガイドファイババンドルの入射端口金が嵌挿されるライトガイド差し込み孔が、上記ガラスロッド被覆管と軸線を一致させて形成されている請求項１又は２記載の内視鏡の照明光入射部。
【請求項４】
上記ライトガイド差し込み孔に上記ライトガイドファイババンドルを固定するための固定ビスが、上記ライトガイド差し込み孔の軸線方向に対して垂直方向にねじ込まれている請求項３記載の内視鏡の照明光入射部。
【発明の詳細な説明】
【技術分野】
【０００１】
この発明は内視鏡の照明光入射部に関する。
【背景技術】
【０００２】
内視鏡には一般に、照明光を伝達するためのライトガイドファイババンドルが内蔵されていて、外部の光源装置に設けられたライトガイド受けにライトガイドファイババンドルの入射端口金を接続することにより、光源から放射された光線束がライトガイドファイババンドルに入射するようになっている。
【０００３】
しかし、光源から放射された光線束をライトガイドファイババンドルに直接入射させるとライトガイドファイババンドルの入射端部を固めている接着剤が焼けてしまうケースや、光源からの光をライトガイドファイババンドルに直接入射させたのでは照明光として光学的に所望の特性が得られないようなケースでは、光源から放射された光線束を、ガラスロッドに一旦通してライトガイドファイババンドルに入射させるようにしている。
【０００４】
そのような内視鏡の照明光入射部は、従来は、ガラスロッドに被嵌固着された金属製のガラスロッド被覆管に、ライトガイドファイババンドルの入射端口金が差し込み接続されるライトガイド接続筒がビス止め固定された構成になっていた（例えば、特許文献１）。
【特許文献１】実開昭５９−５５７１９
【発明の開示】
【発明が解決しようとする課題】
【０００５】
しかし、上述のように、ガラスロッド被覆管にライトガイド接続筒がビス止め固定された構造では、ガラスロッド被覆管とライトガイド接続筒の各々の部品加工交差の積算等により、使用時にガラスロッドとライトガイドファイババンドルとの間の偏心量が大きくなって、接続部において無視できない程度に大きな光伝達のロスが発生する場合があった。
【０００６】
そこで本発明は、ガラスロッドとライトガイドファイババンドルとの接続部での光伝達のロスが少なくて良好な照明光量を確保することができる内視鏡の照明光入射部を提供することを目的とする。
【課題を解決するための手段】
【０００７】
上記の目的を達成するため、本発明の内視鏡の照明光入射部は、光源から放射された光線束をライトガイドファイババンドルに伝達するためのガラスロッドに金属製のガラスロッド被覆管が被嵌固着され、ライトガイドファイババンドルの入射端口金が差し込み接続されるライトガイド接続筒がガラスロッド被覆管の一端側に取着固定された内視鏡の照明光入射部において、ライトガイド接続筒をガラスロッド被覆管と一体に一部材で形成したものである。
【０００８】
なお、ガラスロッド被覆管が一定の径の円筒状に形成されると共に、ライトガイド接続筒がガラスロッド被覆管より外径の大きな円筒状に形成されて、ガラスロッド被覆管とライトガイド接続筒とが一つの金属部材によって一体に形成されていてもよい。
【０００９】
また、ライトガイド接続筒には、ライトガイドファイババンドルの入射端口金が嵌挿されるライトガイド差し込み孔が、ガラスロッド被覆管と軸線を一致させて形成されていてもよく、その場合、ライトガイド差し込み孔にライトガイドファイババンドルを固定するための固定ビスが、ライトガイド差し込み孔の軸線方向に対して垂直方向にねじ込まれていてもよい。
【発明の効果】
【００１０】
本発明によれば、ライトガイド接続筒をガラスロッド被覆管と一体に一部材で形成したことにより、ガラスロッドとライトガイドファイババンドルとの接続部において両者の偏心を最小限に抑制して、光伝達のロスが少なくて良好な照明光量を確保することができ、組み立て作業も容易になる。
【発明を実施するための最良の形態】
【００１１】
光源から放射された光線束をライトガイドファイババンドルに伝達するためのガラスロッドに金属製のガラスロッド被覆管が被嵌固着され、ライトガイドファイババンドルの入射端口金が差し込み接続されるライトガイド接続筒がガラスロッド被覆管の一端側に取着固定された内視鏡の照明光入射部において、ライトガイド接続筒をガラスロッド被覆管と一体に一部材で形成する。
【実施例】
【００１２】
図面を参照して本発明の実施例を説明する。
図２において、１０は内視鏡であり、挿入部１１の基端に連結された操作部１２から後方に延出する可撓性連結管１３の端部にライトガイドコネクタ１４が取り付けられている。
【００１３】
１５は、照明光を伝達するために内視鏡１０内に挿通配置されたライトガイドファイババンドルであり、その射出端１５ａは挿入部１１の先端に配置され、入射端１５ｂはライトガイドコネクタ１４から突出するコネクタロッド１４ａ内に位置していて、その内部でガラスロッド１６と接続されている。
【００１４】
３０は、光源ランプ３１を内蔵する光源装置であり、そのフロントパネルに配置されているコネクタ受け３２にコネクタロッド１４ａを差し込むことにより、光源ランプ３１から放射された光線束が、ガラスロッド１６の端面付近に収束してガラスロッド１６を通過し、ガラスロッド１６の他端側から出た光がライトガイドファイババンドル１５の入射端１５ｂに入射してライトガイドファイババンドル１５内を伝達されるようになっている。
【００１５】
図１はガラスロッド１６とライトガイドファイババンドル１５との接続部付近を示しており、例えば石英ガラス等によって形成されたガラスロッド１６には、例えばステンレス鋼等のような金属材によって一定の径の円筒状に形成されたガラスロッド被覆管１７が、全長にわたって被嵌されて接着固着されている。
【００１６】
ライトガイドファイババンドル１５の入射端１５ｂ付近には例えばステンレス鋼管製の入射端口金１５ｃが被嵌固着されていて、そのライトガイドファイババンドル１５の入射端口金１５ｃが差し込み接続される円筒状のライトガイド接続筒１８が、ガラスロッド被覆管１７の基端側に配置されている。
【００１７】
ライトガイド接続筒１８はガラスロッド被覆管１７より外径の大きな円筒状に形成されていて、その軸線位置に、ライトガイドファイババンドル１５の入射端口金１５ｃが嵌挿されるライトガイド差し込み孔１８ａが穿設され、ライトガイド差し込み孔１８ａには、ライトガイドファイババンドル１５を押圧固定するための固定ビス１９が、軸線方向に対して垂直方向にねじ込まれている。
【００１８】
そのようなガラスロッド被覆管１７とライトガイド接続筒１８とは一つの金属部材によって一体に形成されており、ガラスロッド被覆管１７とライトガイド差し込み孔１８ａとは、軸線を一致させて真っ直ぐに形成されている。
【００１９】
そのようにして一体に一部材で形成されたガラスロッド被覆管１７とライトガイド接続筒１８により、ガラスロッド１６がライトガイドファイババンドル１５の入射端部に接続固定された状態になっていて、それがコネクタロッド１４ａ内の軸線位置に挿通配置されて、固定ビス２０によりコネクタロッド１４ａに押圧固定されている。
【００２０】
したがって、コネクタロッド１４ａを光源装置３０のコネクタ受け３２に差し込むことにより、光源ランプ３１から放射された光線束がガラスロッド１６に入射され、ガラスロッド１６を通過した光線束がライトガイドファイババンドル１５に入射するが、ガラスロッド１６とライトガイドファイババンドル１５の入射端１５ｂとの対向部における偏心等が最小限に抑えられるので、ガラスロッド１６とライトガイドファイババンドル１５との接続部での光伝達のロスが少なくて良好な照明光量を確保することができ、ガラスロッド被覆管１７とライトガイド接続筒１８とが一体に形成されていることにより組み立て作業も容易である。
【図面の簡単な説明】
【００２１】
【図１】本発明の実施例の内視鏡の照明光入射部の側面断面図である。
【図２】本発明の実施例の内視鏡と光源装置の側面図である。
【符号の説明】
【００２２】
１０  内視鏡
１４ａ  コネクタロッド
１５  ライトガイドファイババンドル
１５ｂ  入射端
１５ｃ  入射端口金
１６  ガラスロッド
１７  ガラスロッド被覆管
１８  ライトガイド接続筒
１９  固定ビス
３０  光源装置
３１  光源ランプ（光源）
【図１】
2006034303.tif 000003
【図２】
2006034303.tif 000004